(57)【特許請求の範囲】
【請求項１】
建物開口部に固定される枠体と、枠体に開閉移動自在に設けられる障子と、枠体に取り付けられる指挟み防止具とからなり、
指挟み防止具は、縦枠に固定されるベース部と、ベース部に対して回転自在に取付けられるアーム部とを有し、
アーム部は、固定部に対して障子側に回転することにより室外側に突出して縦枠と障子との間に配置されるストッパー部と、ストッパー部の回転軸を挟んだ反対側に形成され、ストッパー部が縦枠と障子との間に配置されるときに室内側に配置される操作部とを備え、ストッパー部と操作部とが回転軸を挟んで直線的に設けられている
ことを特徴とするサッシ。
【発明の詳細な説明】
【技術分野】
【０００１】
本発明は、枠体に指挟み防止金具を備えるサッシに関する。
【背景技術】
【０００２】
従来より、障子を閉めるときに戸先框と縦枠との間に指を挟むことを防止するために、障子と枠体との間に所定の隙間を確保するストッパーを配置することができるサッシが知られている。（特許文献１）
【先行技術文献】
【特許文献】
【０００３】
【特許文献１】特開２００３−３１４１４０公報
【発明の概要】
【発明が解決しようとする課題】
【０００４】
上記特許文献１のサッシに設けられている指挟み防止具（ストッパー）は、縦枠と縦框との間に配置されているセット位置から、ストッパー部材をリセット位置へ解除する場合には、ストッパー部材自体を押し込むか、操作部材を設けて操作部材の操作によりストッパー部材のリセット位置への解除を行っている。
しかしながら、ストッパー部材自体を押し込むことによりストッパー位置の解除を行うのでは、障子の軌道上に手指を伸ばしてストッパー部材を操作しなくてはならず、ストッパーの解除時に誤って障子が閉鎖操作されてしまった場合、指挟み事故が発生する危険性があった。
また、操作部材による解除は、解除のための操作部材に付勢部材等細かな複数の部材が必要となり、機構が複雑で製造コストが高くなるなどの問題点があった。
本発明は、上記事情を鑑みたものであり、簡単な構成で、障子の開放に伴って自動的に指挟み防止位置にセットすることができ、かつ、指挟み防止位置からの解除を安全に行うことができる指挟み防止具を設けたサッシを提供することを目的とする。
【課題を解決するための手段】
【０００５】
本発明は、建物開口部に固定される枠体と、枠体に開閉移動自在に設けられる障子と、枠体に取り付けられる指挟み防止具とからなり、指挟み防止具は、縦枠に固定されるベース部と、ベース部に対して回転自在に取付けられるアーム部とを有し、アーム部は、固定部に対して障子側に回転することにより室外側に突出して縦枠と障子との間に配置されるストッパー部と、ストッパー部の回転軸を挟んだ反対側に形成され、ストッパー部が縦枠と障子との間に配置されるときに室内側に配置される操作部とを備え、ストッパー部と操作部とが回転軸を挟んで直線的に設けられていることを特徴とする。
【発明の効果】
【０００６】
指挟み防止具のストッパー解除操作時に、手指を枠体と障子との間に伸ばして作業をする必要が無く、指挟み防止位置からの解除を安全に行うことができる。
【図面の簡単な説明】
【０００７】
【図１】本発明の実施形態に係るサッシの内観図である。
【図２】本発明の第１の実施形態のサッシに設けられる指挟み防止具を説明をするための図であり、（ａ）は指挟み防止具が待機状態にあるときのサッシの左縦枠付近の横断面図であり、（ｂ）は指挟み防止具が作動状態にあるときのサッシの左縦枠付近の横断面図である。
【図３】本発明の第１の実施形態のサッシに設けられる指挟み防止具を説明をするための図であり、（ａ）は指挟み防止具が待機状態にあるときのサッシの左縦枠付近を内周側から見たときの図であり、（ｂ）は指挟み防止具が作動状態にあるときのサッシの左縦枠付近を内周側から見たときの図である。
【図４】本発明の第２の実施形態のサッシに設けられる指挟み防止具を説明をするための図であり、（ａ）は指挟み防止具が待機状態にあるときのサッシの内周側から見たときの図であり、（ｂ）は指挟み防止具が作動状態にあるときのサッシの内周側から見たときの図である。
【図５】本発明の第３の実施形態のサッシに設けられる指挟み防止具を説明をするための図であり、（ａ）は指挟み防止具が待機状態にあるときのサッシの内周側から見たときの図であり、（ｂ）は指挟み防止具が待機状態にあるときの底面図である。
【図６】本発明の第３の実施形態のサッシに設けられる指挟み防止具を説明をするための図であり、（ａ）は指挟み防止具が作動状態にあるときのサッシの内周側から見たときの図であり、（ｂ）は指挟み防止具が作動状態にあるときの底面図である。
【図７】本発明の第４の実施形態のサッシに設けられる指挟み防止具を説明をするための図であり、（ａ）は指挟み防止具が待機状態にあるときのサッシの内周側から見たときの図であり、（ｂ）は指挟み防止具が作動状態にあるときのサッシの内周側から見たときの図である。
【図８】本発明の第４の実施形態のサッシに設けられる指挟み防止具を説明をするための図であり、指挟み防止具が待機状態にあるときに室内側から見た図である。
【発明を実施するための形態】
【０００８】
−サッシの構成−
図面を参照しながら、本発明の実施形態のサッシの枠体を説明する。
（全体の構成）
本発明の実施形態のサッシは、図１に示されるように、上枠１１、下枠１２及び右、左縦枠１３，１４からなり、建物開口部に固定される窓枠１に対して、上框２１，３１、下框２２，３２、召合せ框２３，３３、及び、戸先框２４，３４を四周に組んでその内周にパネルが嵌め込まれてなる内、外障子２，３をスライド自在に支持することにより構成される引違い式のサッシである。
そして、左、右縦枠１３，１４に取り付けられ、障子と枠体との間に隙間ｓを確保する指挟み防止具５が設けられている。
【０００９】
（指挟み防止具の構成）
−第１の実施形態−
本発明の第１の実施形態に係るサッシの指挟み防止具の構成について、図２，３に示す、外障子３の戸先框３４と左縦枠１３との間に隙間ｓを確保する指挟み防止具５を用いて説明する。
図２に示すように、指挟み防止具５は、左縦枠１３の樹脂縦枠１３２に対して固定されるベース部５１と、ベース部５１に対して回動軸を中心に回動自在に支持されるアーム部５２とからなる。アーム部５２の一端には、回転軸方向に肉厚のストッパー部５２ａが設けられており、他端には、アーム部５２を摘まんで回転操作できる操作部５２ｂが設けられている。
【００１０】
図３（ａ）に示すように、アーム部５２は、ベース部５１に対して、ストッパー部５２ａが略上方に向く待機状態からストッパー部５２ａが室外側に略水平に突出する作動状態までの範囲で回転が規制されており、規制範囲の間でアーム部５２は自由に回動するか、もしくは、作動状態となるようにバネ等の付勢手段により付勢されている。
【００１１】
外障子３の閉鎖状態においては、図２（ａ）、図３（ａ）に示すように、左縦枠１３の樹脂縦枠１３２に固定された指挟み防止具５は、アーム部５２はやや室外側に傾倒してストッパー部５２ａが外障子３の戸先框３４の室内側面に当接することで待機状態に維持される。このとき、ベース部５１とアーム部５２との間にコイルバネ等の付勢手段が設けられており、アーム部５２を室外側に付勢して戸先框３４の室内側面に当接させている。
なお、肉厚のストッパー部５２ａ自体の重力によりアーム部５２を戸先框３４の室内側に当接するようにしてもよい。
【００１２】
図２（ａ）、図３（ａ）に示す、指挟み防止具５の待機状態において、外障子３が開放されると、ストッパー部５２ａ自体の重力、もしくは、付勢手段の付勢力によりアーム部５２は、ストッパー部５２ａが室外側に突出するように回転し、図２（ｂ）、図３（ｂ）に示す、略水平に突出する作動状態に維持される。作動状態において、外障子３を閉鎖しようとしても、外障子３の軌道内に突出するストッパー部５２ａにより、その閉鎖が阻止されて左縦枠１３と外障子３の戸先框３４との間に隙間ｓが確保され、指挟みを防止することができる。
【００１３】
−第２の実施形態−
本発明の第２の実施形態に係るサッシの指挟み防止具の構成について、図４を参考にして、説明する。
図４に示す指挟み防止具５は、アーム部５２の他端の操作部５２ｂに、アーム部５２をストッパー部５２ａが室外側に略水平に突出する作動状態と、ストッパー部５２ａを左縦枠１３と外障子３との間から離脱して略鉛直にして待機状態に維持するロック手段５３が設けられている。
【００１４】
ロック手段５３は、操作部５２ｂをアーム部５２の長手方向にスライドし、そのストッパー部５２ａ側の先端に係止突起５３１ａを備えるロック操作部５３１と、ベース部５１に設けられ、その下方位置及び室内側位置にロック操作部５３１の係止突起５３１ａが係止される凹部５１１ａ，５１１ｂを備えるロック部材５１１とから構成されている。
【００１５】
そして、ロック操作部５３１を操作して係止突起５３１ａをベース部５１のロック部材５１１の凹部５１１ａ，５１１ｂから退避させた状態とすれば、アーム部５２は、待機状態と作動状態との間を自由に回転することができるので、第１の実施形態と同様に、指挟みを防止することができる。
また、ロック操作部５３１を操作して係止突起５３１ａをロック部材５１１の下方位置に設けられた凹部５１１ａに係止すれば、アーム部５２は略鉛直状態に維持されて室外側への回転を規制され、指挟み防止機能を無効とすることができる。
一方、ロック操作部５３１を操作して係止突起５３１ａをロック部材５１１の室内側位置に設けられた凹部５１１ａに係止すれば、アーム部５２は室外側へ略水平状態に突出する作動状態に維持されて室内側への回転を規制され、常時、指挟み防止機能を発揮することができる。
【００１６】
したがって、指挟み防止機能を必要としないときには、アーム部５２のロック操作部５３１を操作して係止突起５３１ａをベース部５１に設けられたロック部材５１１の凹部５１１ａに係止することにより、指挟み防止機能を無効とすることができる。
【００１７】
−第３の実施形態−
本発明の第３の実施形態に係るサッシの指挟み防止具の構成について、図５，６を参考にして、説明する。
図５、６に示す指挟み防止具５は、第２の実施形態のサッシの指挟み防止具に比べて、ロック手段の構成が相違している。
図５、６に示す指挟み防止具５のロック手段５４は、アーム部５２の操作部５２ｂの室内側にアーム部５２の長手方向にスライド自在に設けられるスライドプレート５４１ａと、操作部５２ｂの室外側に取り外し自在に設けられる閉塞プレート５４１ｂと、ベース部５１のアーム部５２の取付面（サッシの内周側面）の室内側部及び下方部に内周方向に突出するように形成される室内側係止部５１ａと下方係止部５１ｂとから構成されている。
【００１８】
スライドプレート５４１ａは、操作部５２ｂの室内側からベース部５１に向かって延びる壁状の部材であり、ベース部５１に設けられた室内側係止部５１ａに対向する作動位置と、操作部５２ｂの端部方向の位置であって室内側係止部５１ａと干渉しない退避位置との間をスライド自在に設けられている。
室内側係止部５１ａは弾性を有し、表面が下方から上方にいくに従って徐々に高くなる板状部材により形成されており、下方からスライドプレート５４１ａの表面が、ベース部５１より突出した室内側係止部５１ａに当接した場合には、スライドプレート５４１ａが室内側係止部５１ａの表面を抑えることで室内側係止部５１ａは弾性により変形し、スライドプレート５４１ａを通過させた後に弾性復原して、スライドプレート５４１ａの背面に係止可能となっている。
そして、スライドプレート５４１ａを操作部５２ｂに対してスライドすることにより、室内側係止部５１ａとスライドプレート５４１ａの背面との係止が外れて、アーム部５２は、待機状態への回転が可能となる。
なお、スライドプレート５４１ａは、作動位置に向かって付勢されていてもよく、それによりストッパー部の解除時には、必ず室内側にあるスライドプレート５４１ａを操作することが必要となり、安全性が向上する。
【００１９】
一方、下方係止部５１ｂは弾性を有しており、室内側及び室外側から閉塞プレート５４１ｂの表面もしくは裏面が、ベース部５１より突出した下方係止部５１ｂに所定以上の力で当接した場合には、弾性により変形して閉塞プレート５４１ｂを通過させた後に弾性復原するが、所定以上の力が加わらなければ、閉塞プレート５４１ｂの背面に係止した状態を維持するようになっている。
そして、閉塞プレート５４１ｂを操作部５２ｂより外すことで、下方係止部５１ｂと閉塞プレート５４１ｂとの係止が外れて、アーム部５２を待機状態に維持することができなくなり、第１の実施形態と同様に、室外側へ突出する作動状態への回転が可能となる。
なお、閉塞プレート５４１ｂは、スライドプレート５４１ａと同様に、スライド自在として下方係止部５１ｂとの係止を外すようにすることも可能である。
【００２０】
−第４の実施形態−
本発明の第４の実施形態に係るサッシの指挟み防止具の構成について、図７，８を参考にして、説明する。
図７、８に示す指挟み防止具５は、アーム部５２の他端の操作部５２ｂに設けられ、操作部５２ｂからベース部５１に向かって突出する突出位置とベース部５１のアーム部５２の取付面から離間する離間位置とに出没自在に支持される係合部５５ａと、係合部５５ａを出没させるための操作つまみ５５ｂと、ベース部５１の下方側面に配置されるスライドブロック５５ｃとからなるロック手段５５を有している。
そして、通常は、ロック手段５５の操作つまみ５５ｂは、係合部５５ａをベース部５１に向かって突出する方向に付勢されており、図７の（ａ）のストッパー部５２ａの作動状態においては、係合部５５ａがベース部５１の室内側面に当接して回転が規制され、作動状態を維持している。
ストッパー部５２ａの作動状態を変更するには、操作つまみ５５ｂを操作して係合部５５ａをベース部５１の室内側面から離脱させることによって待機状態に回転することができる。
【００２１】
ベース部５１の下方側面には、スライドブロック５５ｃがベース部５１の下方側面を室内外方向にスライド自在に設けられており、スライドブロック５５ｃが室内側に配置された場合には、操作つまみ５５ｂによって離脱させた係合部５５ａをベース部５１の下方側面位置で解放しても、係合部５５ａの先端がスライドブロック５５ｃの内周面に当接してベース部５１の下方側面との係合を阻止して、付勢手段の付勢力により、アーム部５２を室外側に突出させる作動位置に回転される。
一方、図７（ｂ）、図８に示すように、スライドブロック５５ｃが室外側に配置された場合には、ベース部５１の下方側面位置で解放された係合部５５ａは、ベース部５１の下方側面に当接して回転が阻止され、アーム部５２の待機状態を維持される。
【００２２】
以上のように、第１の実施形態のサッシに使用される指挟み防止具は、障子の開閉により、自動的にストッパー部が縦枠と障子との間の空間に配置されて指挟みを防止する作動状態への移行がなされ、作動状態の指挟み防止具の作動状態の解除は、ストッパー部に触れることなく、室内側に位置する操作部の操作により行うことができるので、使用者がストッパー部の解除時に、誤って他の使用者が障子を閉鎖して指を挟むことを防止できる。
さらに加えて、第２の実施形態のサッシに使用される指挟み防止具は、アーム部を作動状態及び待機状態に強制的に維持することができるので、指挟み防止機能を必要としない場合などに待機位置に維持することにより、障子の開閉のたびに指挟み防止具を作動状態から待機状態へ解除をする必要がなく、利便性を向上できる。
そして、ストッパーの待機状態は、アーム部を鉛直状態とした場合のみその維持が可能となるので、待機状態の維持は意識的に操作する必要があり、無意識に操作部を操作して待機状態が維持されることを防止することができる。
【００２３】
また、第３，４の実施形態においては、指挟み防止具を待機状態と作動状態とに維持する機能を有しながら、作動状態から解除するためには、第４の実施形態のサッシの指挟み防止具においては操作つまみを、また、第３の実施形態のサッシの指挟み防止具においてスライドプレートが付勢されている場合にはスライドプレートを、それぞれ操作する必要があるので、使用者は確実に室内側の操作部において解除操作を行うこととなり、安全性が高く、さらに、第３の実施形態のサッシの指挟み防止具においては閉塞プレートを外すことにより、第４の実施形態のサッシの指挟み防止具においてはスライドブロックを室内側に移動させることにより、指挟み防止具が待機状態に維持されることを阻止することができるので、安全性を確保しながら利便性を向上させることができる。
【符号の説明】
【００２４】
１        ：窓枠
１１      ：上枠
１２      ：下枠
１３      ：左縦枠
１３２    ：樹脂縦枠
１４      ：右縦枠
２        ：内障子
２１      ：上框
２２      ：下框
２３      ：召合せ框
２４      ：戸先框
３        ：外障子
３１      ：上框
３２      ：下框
３３      ：召合せ框
３４      ：戸先框
５        ：指挟み防止具
５１      ：ベース部
５１ａ    ：室内側係止部
５１ｂ    ：下方係止部
５１１    ：ロック部材
５１１ａ  ：凹部
５１１ｂ  ：凹部
５２      ：アーム部
５２ａ    ：ストッパー部
５２ｂ    ：操作部
５３      ：ロック手段
５３１    ：ロック操作部
５３１ａ  ：係止突起
５４      ：ロック手段
５４１ａ  ：スライドプレート
５４１ｂ  ：閉塞プレート
５５      ：ロック手段
５５ａ    ：係合部
５５ｂ    ：操作つまみ
５５ｃ    ：スライドブロック
ｓ        ：隙間
【図１】
0006482906.tif 000002
【図２】
0006482906.tif 000003
【図３】
0006482906.tif 000004
【図４】
0006482906.tif 000005
【図５】
0006482906.tif 000006
【図６】
0006482906.tif 000007
【図７】
0006482906.tif 000008
【図８】
0006482906.tif 000009